(57)【要約】      （修正有）【課題】汚れに強く、破損を良好に低減することができる畜産用ベルトを提供する。【解決手段】ベルト本体１１０を錘３００が下位置となるように牛の首に乗せ、その先端１１２を遊環３５０を通した後、錘ケース３１０を通して再び遊環３５０を通す。次に、先端１１２を、バックル２００の開口から入り込み、後端側に引き出す。このときの引出量を調整することで、牛の首に合わせる。この状態で、バックル２００の蓋部を閉じることで、蓋部の爪がベルト本体を挟むように首輪状となる。ベルト本体は補強シートを有し、補強シートに、バックルの爪が食い込むようにすることで、爪によるベルト本体の破損が防止される。また、ベルト本体は、樹脂被膜でコーティングされており、汚れや臭いが付きにくい。【選択図】図１
0003225983.tif 000002
【実用新案登録請求の範囲】
【請求項１】
畜産動物の首に取り付ける畜産用ベルトであって、
ベルト本体，
該ベルト本体の後端に取り付けられており、前記ベルト本体の先端側を爪で挟むバックル，
前記ベルト本体の表面であって、前記バックルの爪が当たる部位に設けられた補強プレート，
を備えたことを特徴とする畜産用ベルト。
【請求項２】
前記ベルト本体が、布ベルトに樹脂被膜を施したベルトであることを特徴とする請求項１記載の畜産用ベルト。
【請求項３】
前記補強プレートが、布ベルトであることを特徴とする請求項１又は２記載の畜産用ベルト。
【請求項４】
前記ベルト本体に錘を取り付けたことを特徴とする請求項１〜３のいずれか一項に記載の畜産用ベルト。
【請求項５】
前記ベルト本体に表示プレートを取り付けたことを特徴とする請求項１〜３のいずれか一項に記載の畜産用ベルト。
【考案の詳細な説明】
【技術分野】
【０００１】
本考案は、牛などの家畜類に対して使用する畜産用ベルトの改良に関する。
【背景技術】
【０００２】
従来の畜産用ベルトとしては、例えば下記特許文献１記載の「センサ保持用ベルト」がある。これは、長期間にわたって牛にストレスを感じさせずにセンサを取り付けることを目的としたもので、前脚直後の胴回りに回す胴ベルト体と、胴ベルト体の下部中央から延伸し前脚間を通って後ろ首部分を回って胴ベルト体の下部中央にもどってくる後首ベルト体と、から構成されている。
【先行技術文献】
【特許文献】
【０００３】
【特許文献１】特開2008-206412号公報
【考案の概要】
【考案が解決しようとする課題】
【０００４】
ところで、従来の畜産用ベルトは、ポリプロピレンやナイロンによる布ベルトを使用していることから、長期間の使用により錆や汚れが付着するようになり、匂いもつくようになることから、適当な時期にクリーニングを施す必要がある。また、バックル部分では、バックルの爪がベルトに食い込むようになり、この部分で破損などが生ずる恐れがある。
【０００５】
本考案は、以上の点に着目したもので、汚れに強く、破損を良好に低減することができる畜産用ベルトを提供することを、その目的とする。
【課題を解決するための手段】
【０００６】
本考案は、畜産動物の首に取り付ける畜産用ベルトであって、ベルト本体，このベルト本体の後端に取り付けられており、前記ベルト本体の先端側を爪で挟むバックル，前記ベルト本体の表面であって、前記バックルの爪が当たる部位に設けられた補強プレート，を備えたことを特徴とする。
【０００７】
主要な形態の一つは、前記ベルト本体が、布ベルトに樹脂被膜を施したベルトであることを特徴とする。他の形態としては、前記補強プレートが、布ベルトであることを特徴とする。更に他の形態としては、前記ベルト本体に錘ないし表示プレートを取り付けたことを特徴とする。本考案の前記及び他の目的，特徴，利点は、以下の詳細な説明及び添付図面から明瞭になろう。
【考案の効果】
【０００８】
本考案によれば、ベルトの表面に樹脂被膜をコーティングするとともに、必要箇所に補強シートを積層することとしたので、汚れや臭いの付着に強く、破損を良好に低減することができる。
【図面の簡単な説明】
【０００９】
【図１】本考案の一実施例を示す斜視図である。
【図２】前記実施例におけるベルト本体を示す図である。
【図３】前記実施例におけるバックル部分を示す図である。
【図４】前記実施例における錘部分を示す図である。
【考案を実施するための形態】
【００１０】
以下、本考案を実施するための最良の形態を、実施例に基づいて詳細に説明する。
【実施例１】
【００１１】
図１には、本考案にかかる畜産用ベルト１００が示されている。同図(A)は牛の首に畜産用ベルト１００を取り付けた状態を示し、同図(B)は畜産用ベルト１００のみを示す。これらの図において、畜産用ベルト１００は、長手のベルト本体１１０の両端をバックル２００で結合することで首輪状とした構成となっている。ベルト本体１１０には、錘３００が取り付けられており、適宜位置に表示プレート４００が設けられている。
【００１２】
これらのうち、ベルト本体１１０は、図２(A)に全体を示すように、先端１１２が鋭角に形成されており、後端１１４がバックル２００に取り付けられている。先端１１２がバックル２００に挟み込まれることによって、全体が首輪状となる。ベルト本体１１０の中間の適宜位置には、上述した表示プレート４００が設けられており、また、先端１１２側には、バックル２００に挟み込まれる箇所に補強シート５００が積層されている。
【００１３】
同図の＃Ｂ−＃Ｂ線に沿って矢印方向に見た断面は、同図(B)に示されており、ベルト本体１１０は、グログランベルトなどの布ベルト１３０の表面に塩化ビニールなどの樹脂被膜１３２をコーティングした構成となっている。同図の＃Ｃ−＃Ｃ線に沿って矢印方向に見た断面は、同図(C)に示されており、ベルト本体１１０の外側の面に表示プレート４００が設けられている。同図の＃Ｄ−＃Ｄ線に沿って矢印方向に見た断面は、同図(D)に示されており、ベルト本体１１０の外側の面に補強シート５００が設けられている。
【００１４】
次に、バックル２００は、図３(A)に示すように、基部２１０と蓋部２５０によって構成されており、基部２１０に蓋部２５０が回動可能に取り付けられている。基部２１０の正面側は開口２１２となっており、背面側にはベルト本体１１０の挿通折返し口２１４が設けられている。この挿通押返し口２１４にベルト本体１１０の後端１１４を挿通して折り返すとともに、折り返したベルト本体１１０の重なり部分を縫い付けることで、ベルト本体１１０の後端１１４にバックル２００が取り付けられている。
【００１５】
一方、蓋部２５０の側面には、前後に、突起２５２，２５４がそれぞれ対に設けられている。一方、基部２１０には、前記突起２５２，２５４がそれぞれ嵌合する穴２２２，２２４が対に設けられている。突起２５２は穴２２２に嵌合して回転軸となっており、基部２１０に対して蓋部２５０が回動可能となっている。突起２５４は、閉じたときに穴２２４に嵌合し、閉じた状態が維持されるようになっている。なお、突起２５４を回転軸としてもよい。蓋部２５０の先端側には、複数の爪２６０が設けられており、同図(B)のように蓋部２５０が基部２１０に対して閉じたときに、それら爪２６０がベルト本体１１０を挟む（食い込む）ようになっている。このようなバックル２００の構造や作用は公知である。
【００１６】
次に、図４には錘３００が示されている。錘３００は、錘ケース３１０と遊環３５０によって構成されている。同図(A)は錘ケース３１０の外観が示されており、同図の＃４−＃４線に沿って矢印方向に見た図が同図(B)である。これらの図に示すように、錘ケース３１０は、二つの円筒状の錘収納部３１２，３２２を備えており、それらの両端に対に設けられたネジ穴３１４，３２４においてケース上下がネジ止めされている。錘収納部３１２，３２２には、円柱状の錘が収納されるようになっている。例えば、子牛の場合は２５０ｇの錘を一つ収納し、成牛の場合は２５０ｇの錘を２つ収納するといった具合である。
【００１７】
錘ケース３１０の一端には、ベルト通し３３０が設けられており、ここに上述したベルト本体１１０を通すことで、ベルト本体に錘３００をぶら下げられるようになっている。その際に、同図(C)に示す遊環３５０を通すことで、ベルト本体１１０に対する錘３００の取付位置が固定されるようになっている。すなわち、ベルト本体１１０の先端１１２を、まず遊環３５０の開口３５２を通し、次に、前記ベルト本体１１０のベルト通し３３０を通す。そして、再び遊環３５０を通すようにする。遊環３５０によって、往復のベルト本体１１０を挟み込むことで、ベルト本体１１０における錘３００の位置が固定されるようになる。
【００１８】
次に、本実施例の作用を説明すると、ベルト本体１１０を錘３００が下位置となるように牛の首に乗せ、その先端１１２を、図１に示すように、遊環３５０を通した後、錘ケース３１０を通して再び遊環３５０を通す。次に、先端１１２を、バックル２００の開口２１２から入り込み、後端１１４側に引き出す。このときの引出量を調整することで、牛の首に合わせる。この状態で、バックル２００の蓋部２５０を閉じることで、蓋部２５０の爪２６０がベルト本体１１０に食い込むようになる。これにより、ベルト本体１１０の先端１１２がバックル２００に結合され、全体が首輪状となる。
【００１９】
ところで、本実施例においては、ベルト本体１１０の前記補強シート５００に、バックル２００の爪２６０が食い込むようになる。このため、爪２６０によるベルト本体１１０の破損が良好に防止されるようになる。また、ベルト本体１１０は、樹脂被膜１３２でコーティングされていることから、汚れや臭いが付きにくい。また、畜産用ベルト１００の錘３００が下側に位置することで、牛の首に対する畜産用ベルト１００の取付位置が固定され、牛の首周りでの回転が生じない。このため、表示プレート４００の位置が、図１(A)に示すように、首の斜め上方の見やすい位置となる。
【００２０】
＜他の実施例＞  なお、本考案は、上述した実施例に限定されるものではなく、本考案の要旨を逸脱しない範囲内において種々変更を加えることができる。例えば、以下のものも含まれる。
(1)前記実施例は、本考案を牛に適用したものであるが、牛以外の各種の動物に対して適用可能である。
(2)前記実施例では、錘３００や表示プレート４００を取り付けたが、必要に応じて取り付けるようにしてよい。他に、温度計などの各種のセンサー類を取り付けるようにしてもよい。
(3)前記実施例で示したバックル２００や錘３００の形状・構造は一例であり、適宜変更してよい。
【産業上の利用可能性】
【００２１】
本考案によれば、ベルトの表面に樹脂被膜をコーティングするとともに、必要箇所に補強シートを積層することとしたので、汚れや臭いの付着に強く、破損を良好に低減することができるので、畜産用のベルトに好適である。
【符号の説明】
【００２２】
１００：畜産用ベルト
１１０：ベルト本体
１１２：先端
１１４：後端
１３０：布ベルト
１３２：樹脂被膜
２００：バックル
２１０：基部
２１２：開口
２１４：口
２２２，２２４：穴
２５０：蓋部
２５２，２５４：突起
２６０：爪
３００：錘
３１０：錘ケース
３１２，３２２：錘収納部
３１４，３２４：ネジ穴
３３０：ベルト通し
３５０：遊環
３５２：開口
４００：表示プレート
５００：補強シート
【図１】
0003225983.tif 000003
【図２】
0003225983.tif 000004
【図３】
0003225983.tif 000005
【図４】
0003225983.tif 000006